(57)【要約】【課題】遊技機を運搬するための遊技機枠における全体の構造簡単化を図る。【解決手段】遊技機枠１の底面１７および右側面１８にはコロ受凹部１９が設けられ、コロ受凹部１９の深さはパチンコ球またはパチンコ球に類似する球Ｐの直径よりも浅い、そして、パチンコ機を運搬する場合、作業者が例えば底面１７のコロ受凹部１９にパチンコ球Ｐを挿入し、遊技機枠１の底面１７が下になる起立姿勢に遊技機枠１を手で持ったまま左から右または右から左に押すことで、コロ受凹部１９に挿入されたパチンコ球Ｐが遊技機枠１とパチンコ機を運搬しようとする面Ｍとの間でコロとして働き、作業者が２０ｋｇ程度の重量のあるパチンコ機を簡単に運搬することができ、パチンコ機の運搬後は、作業者がコロ受凹部１９からパチンコ球Ｐを取り外せば、遊技機枠１を島と呼ばれる遊技機設置設備に設置する場合に、パチンコ球Ｐが邪魔になることはない。【選択図】　　　　図１
2004113483.tif 000002
【特許請求の範囲】
【請求項１】
遊技主体を格納する遊技機枠であって、遊技機枠の外側面に内部に窪むコロ受凹部を形成し、当該コロ受凹部がパチンコ球またはパチンコ球に類似する球をコロとして収納した場合に当該パチンコ球またはパチンコ球に類似する球の一部を遊技機枠の外側面から外側に突出する形態に形成されたことを特徴とする遊技機枠。
【請求項２】
コロ受凹部を運搬方向の前後に設けたことを特徴とする請求項１記載の遊技機枠。
【発明の詳細な説明】
【０００１】
【発明の属する技術分野】
本発明はパチンコ機やスロットマシンなどの遊技機枠であって、特に、遊技機を運搬するための構造に関する。
【０００２】
【従来の技術】
従来のパチンコ機は２０ｋｇ程度の重量の有るパチンコ機を運搬するために遊技機枠に別体のキャスターを取り外し可能または収納可能に設けている（例えば、特許文献１参照）。
【０００３】
【特許文献１】
特開平１０−２９５９０６号公報（第１頁、要約、図１）
【０００４】
【発明が解決しようとする課題】
しかしながら、前記従来例は別体のキャスターを遊技機枠に設けた構造であるので、遊技機枠における全体の構造が複雑になり、コストダウンを図るにも限度があるという問題点があった。
【０００５】
そこで、本発明はパチンコ球またはパチンコ球に類似する球をコロとして使用可能とすることで、遊技機枠における全体の構造が簡単となり、コストダウンを図ることができる遊技機枠を提供するものである。
【０００６】
【課題を解決するための手段】
本発明にあっては、遊技主体を格納する遊技機枠であって、遊技機枠の外側面に内部に窪むコロ受凹部を形成し、当該コロ受凹部がパチンコ球またはパチンコ球に類似する球をコロとして収納した場合に当該パチンコ球またはパチンコ球に類似する球の一部を遊技機枠の外側面から外側に突出する形態に形成されたことによって、遊技機枠における全体の構造がコロ受凹部を有する簡単な構造となり、コストダウンを図ることができる一方、遊技機を運搬する場合に、コロ受凹部にパチンコ球またはパチンコ球に類似する球を挿入し、当該パチンコ球またはパチンコ球に類似する球をコロとして使用して遊技機を運搬することができ、遊技機の運搬後はコロ受凹部からパチンコ球またはパチンコ球に類似する球を取り外せば、遊技機枠を遊技店の島と呼ばれる遊技機設置設備に設置する場合に、パチンコ球またはパチンコ球に類似する球が邪魔になることはない。また、本発明にあっては、コロ受凹部を運搬方向の前後に設ければ、遊技機を運搬する場合に、運搬方向の前後におけるコロ受凹部のそれぞれに挿入されたパチンコ球またはパチンコ球に類似する球がコロとして働き、遊技機枠が前後に傾くことなく安定した姿勢で運搬されるので、運搬作業が簡単となる。
【０００７】
【発明の実施の形態】
図１および図２は一実施形態であって、図１はパチンコ機の運搬形態の正面を示し、図２は遊技機の例としてのパチンコ機の外観を示す。
【０００８】
図２を参照し、パチンコ機について説明する。パチンコ機は遊技機枠１の内部に遊技主体である遊技盤２を格納し、遊技機枠１の前側にヒンジ３で開閉可能に設けられた前面飾り４を閉じて施錠装置５で施錠することで、前面飾り４におけるガラスまたは合成樹脂からなる透過パネル６が当該遊技盤２に設けられた風車７、一般入賞部品８、センター飾り９、図柄表示器１０、始動入賞部品１１、アタッカーや大入賞口と呼ばれる可変入賞部品１２、ガイドレール１３、図外の遊技釘、図外のサイドランプ、図外の賞球ランプ、図外の完了ランプなどの部品を前側から見えるように覆う形態である。前面飾り４は透過パネル６の左右および上部を囲む周辺飾り１４、透過パネル６の下部に配置された上皿１５、上皿１５の下部に配置された下皿１６を備える。遊技盤２の裏側および遊技機枠１の裏側には図外の制御装置が取り付けられる。
【０００９】
遊技機枠１の外側面、本実施形態では遊技機枠１の底面１７および右側面１８にはコロ受凹部１９が設けられる。コロ受凹部１９はパチンコ球またはパチンコ球に類似する球Ｐをコロとして収納可能な内部に窪む形態であって、パチンコ機を運搬する方向の前後に位置するように設けられる。具体的には、コロ受凹部１９が遊技機枠１の底面１７に対し左右に位置するように設けられ、コロ受凹部１９が遊技機枠１の右側面１８に対し上下に位置するように設けられる。コロ受凹部１９の深さＨはパチンコ球またはパチンコ球に類似する球Ｐの直径Ｄよりも浅くなっており、パチンコ球またはパチンコ球に類似する球Ｐがコロ受凹部１９に回転可能に収納されることによって、パチンコ球またはパチンコ球に類似する球Ｐがコロ受凹部１９の底部に接触した状態において、パチンコ球またはパチンコ球に類似する球Ｐの一部が遊技機枠１の外側面たる底面１７または右側面１８より外側に突出するように、コロ受凹部１９はなっている。
【００１０】
本実施形態のパチンコ機を運搬する場合、例えば、図１に示すように、作業者が遊技機枠１の底面１７の左右に設けられたコロ受凹部１９のそれぞれにパチンコ球またはパチンコ球に類似する球Ｐを挿入し、当該パチンコ球またはパチンコ球に類似する球Ｐのコロ受凹部１９より外側に突出した部分がパチンコ機を運搬しようとする面Ｍに接触するように、遊技機枠１の底面１７が下になる起立姿勢に遊技機を保持する。その状態において、作業者が遊技機枠１を手で持ったまま右から左または矢印Ｘで示すように左から右に押すことによって、遊技機枠１の底面１７におけるコロ受凹部１９のそれぞれに挿入されたパチンコ球またはパチンコ球に類似する球Ｐが遊技機枠１とパチンコ機を運搬しようとする面Ｍとの間でコロとして働くので、作業者が２０ｋｇ程度の重量のあるパチンコ機を簡単に運搬することができる。
【００１１】
パチンコ機の運搬後は、作業者がコロ受凹部１９からパチンコ球またはパチンコ球に類似する球Ｐを取り外すことによって、遊技機枠１における全体の構造が図２に示すように、コロ受凹部１９を有する簡単な構造となり、コストダウンを図ることができる。パチンコ機の運搬後は、作業者がコロ受凹部１９からパチンコ球またはパチンコ球に類似する球Ｐを取り外すことによって、パチンコ球またはパチンコ球に類似する球Ｐが遊技機枠１の外側面たる底面１７や右側面１８から突出することがないので、遊技機枠１を遊技店の島と呼ばれる遊技機設置設備に設置する場合に、パチンコ球またはパチンコ球に類似する球Ｐが邪魔になることはない。また、コロ受凹部１９がパチンコ機の運搬方向の前後に位置するように設けられているので、パチンコ機を運搬する場合に、運搬方向の前後におけるコロ受凹部１９のそれぞれに挿入されたパチンコ球またはパチンコ球に類似する球Ｐが運搬方向の前後の２点でコロとして働き、遊技機枠１が前後に傾くことなく安定した姿勢で運搬されるので、運搬作業が簡単となる。
【００１２】
本実施形態のパチンコ機を運搬する場合、図示は省略するが、作業者が遊技機枠１の右側面１８の上下に設けられたコロ受凹部１９のそれぞれにパチンコ球またはパチンコ球に類似する球Ｐを挿入し、当該パチンコ球またはパチンコ球に類似する球Ｐのコロ受凹部１９より外側に突出した部分が遊技機を運搬しようとする面Ｍに接触するように、遊技機枠１の右側面１８が下になる横倒姿勢に遊技機を保持した状態において、作業者が遊技機枠１を手で持ったまま左から右または右から左に押すことによって、遊技機枠１の右側面１８におけるコロ受凹部１９のそれぞれに挿入されたパチンコ球またはパチンコ球に類似する球Ｐを遊技機枠１と遊技機を運搬しようとする面Ｍとの間でコロとして使用して、パチンコ機を運搬することも可能である。
【００１３】
図１では１つのコロ受凹部１９に１個のパチンコ球またはパチンコ球に類似する球Ｐを収納した形態を図示したが、コロ受凹部１９の各々に収納するパチンコ球またはパチンコ球に類似する球Ｐの個数は２個以上であってもよい。
【００１４】
図示は省略したが、コロ受凹部１９を遊技機枠１の、底面１７、右側面１８、左側面２０、上面２１のいずれか１つの面、左側面２０と上面２１という互いに直交連接する２つの面、底面１７と上面２１という互いに相対峙する２つの面、右側面１８と左側面２０という互いに相対峙する２つの面、底面１７と上面２１と右側面１８および左側面２０の全部の面に設けてもよい。
【００１５】
パチンコ機以外のスロットマシンにおける遊技機枠１の外側面にコロ受凹部１９を設けて、コロ受凹部１９にパチンコ球またはパチンコ球に類似する球Ｐを挿入してコロとして使用することで、スロットマシンを運搬することも同様に適用することができる。
【図面の簡単な説明】
【図１】一実施形態のパチンコ機の運搬形態を示す正面図。
【図２】同実施形態のパチンコ機を示す外観斜視図。
【符号の説明】
１　遊技機枠
１７　底面
１８　右側面
１９　コロ受凹部
Ｐ　球
【図１】
2004113483.tif 000003
【図２】
2004113483.tif 000004